【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
診断レポート及び医用画像を含む医療情報を所定のシステムから取得し、通知された患者特定情報に基づいて該取得した医療情報を表示する複数の医療情報参照機能が動作する医療情報参照装置において、
患者特定情報を含む予約リストを所定のシステムから取得する予約リスト取得手段と、
前記取得した予約リストに含まれる患者特定情報のうちから、医療従事者の指示入力に基づいて患者特定情報を選択する患者特定情報選択手段と、
前記選択した患者特定情報を、更新された患者特定情報として各医療情報参照機能に通知する更新通知手段と、
各医療情報参照機能が前記通知された患者特定情報の更新を受諾または拒否していることを示す各医療情報参照機能の現在の協調状態を検知する協調状態検知手段と、
前記検知した各医療情報参照機能の現在の協調状態と、各医療情報参照機能における患者特定情報と、前記取得した予約リストとを表示する表示手段と、
を備えたことを特徴とする医療情報参照装置。
【請求項２】
前記患者特定情報の更新を受諾している医療情報参照機能のうちのいずれか一つにおいて患者特定情報が更新されると、前記受諾している他の医療情報参照機能における患者特定情報を更新させる協調制御手段をさらに備えることを特徴とする請求項１に記載の医療情報参照装置。
【請求項３】
診断レポート及び医用画像を含む医療情報を所定のシステムから取得し、通知された患者特定情報に基づいて該取得した医療情報を表示する複数の医療情報参照機能を動作させる医療情報参照プログラムにおいて、
患者特定情報を含む予約リストを所定のシステムから取得する予約リスト取得機能と、
前記取得した予約リストに含まれる患者特定情報のうちから、医療従事者の指示入力に基づいて患者特定情報を選択する患者特定情報選択機能と、
前記選択した患者特定情報を、更新された患者特定情報として各医療情報参照機能に通知する更新通知機能と、
各医療情報参照機能が前記通知された患者特定情報の更新を受諾または拒否していることを示す各医療情報参照機能の現在の協調状態を検知する協調状態検知機能と、
前記検知した各医療情報参照機能の現在の協調状態と、各医療情報参照機能における患者特定情報と、前記取得した予約リストとを表示する表示機能と、
を備えたことを特徴とする医療情報参照プログラム。
【手続補正２】
【補正対象書類名】明細書
【補正対象項目名】００１９
【補正方法】変更
【補正の内容】
【００１９】
請求項１または請求項２に記載の医療情報参照装置において、前記予約リスト取得手段は、医療従事者の指示入力に基づいて予約リストを取得するようにしてもよい。
【手続補正３】
【補正対象書類名】明細書
【補正対象項目名】００２０
【補正方法】変更
【補正の内容】
【００２０】
予約リストを基に患者の医療情報を参照する場合、予約リストは最新のものを用いる必要がある。上記態様の医療情報参照装置では、医療従事者の指示入力に基づいて予約リストを取得することで、医療情報を参照する際に最新の予約リストを取得することができる。
【手続補正４】
【補正対象書類名】明細書
【補正対象項目名】００２１
【補正方法】変更
【補正の内容】
【００２１】
請求項１または請求項２に記載の医療情報参照装置において、前記取得した予約リストを指定された項目の昇順または降順で並び替える予約リストソート手段をさらに備えるようにしてもよい。
【手続補正５】
【補正対象書類名】明細書
【補正対象項目名】００２２
【補正方法】変更
【補正の内容】
【００２２】
かかる態様の医療情報参照装置では、予約リストをソートできるようにしたことで、患者特定情報を特定の条件に従って選択できるようになり、医療従事者はいっそう迅速かつ容易に医療情報を参照することができる。
【手続補正６】
【補正対象書類名】明細書
【補正対象項目名】００２４
【補正方法】変更
【補正の内容】
【００２４】
上記目的を達成するために、請求項３に係る医療情報参照プログラムは、診断レポート及び医用画像を含む医療情報を所定のシステムから取得し、通知された患者特定情報に基づいて該取得した医療情報を表示する複数の医療情報参照機能を協調動作させる医療情報参照プログラムにおいて、患者特定情報を含む予約リストを所定のシステムから取得する予約リスト取得機能と、前記取得した予約リストに含まれる患者特定情報のうちから、医療従事者の指示入力に基づいて患者特定情報を選択する患者特定情報選択機能と、前記選択した患者特定情報を、更新された患者特定情報として各医療情報参照機能に通知する更新通知機能と、各医療情報参照機能が前記通知された患者特定情報の更新を受諾または拒否していることを示す各医療情報参照機能の現在の協調状態を検知する協調状態検知機能と、前記検知した各医療情報参照機能の現在の協調状態と、各医療情報参照機能における患者特定情報と、前記取得した予約リストとを表示する表示機能と、を備えたことを特徴としている。
【手続補正７】
【補正対象書類名】明細書
【補正対象項目名】００２５
【補正方法】変更
【補正の内容】
【００２５】
請求項３に係る医療情報参照プログラムでは、医療従事者が予約リストに含まれる患者特定情報を選択すると、患者特定情報の更新を受諾している医療情報参照機能において、その患者特定情報に基づいて医療情報が表示される。医療従事者は、異なる患者について医療情報の参照を繰り返す場合でも患者特定情報を選択するだけでよく、逐一手入力する必要がない。
【手続補正８】
【補正対象書類名】明細書
【補正対象項目名】００２６
【補正方法】変更
【補正の内容】
【００２６】
このように、請求項３に係る医療情報参照プログラムでは、医療従事者は迅速かつ容易に医療情報を参照でき、また患者特定情報を誤入力する恐れがない。
【手続補正９】
【補正対象書類名】明細書
【補正対象項目名】００２７
【補正方法】変更
【補正の内容】
【００２７】
なお、請求項３に係る医療情報参照プログラムでは、予約リストは病院情報システム（ＨＩＳ）や放射線科情報システム（ＲＩＳ）等から取得することができる。
【手続補正１０】
【補正対象書類名】明細書
【補正対象項目名】００２８
【補正方法】変更
【補正の内容】
【００２８】
請求項３に係る医療情報参照プログラムにおいて、前記患者特定情報の更新を受諾している医療情報参照機能のうちのいずれか一つにおいて患者特定情報が更新されると、前記受諾している他の医療情報参照機能における患者特定情報を更新させる協調制御機能をさらに備えるようにしてもよい。
【手続補正１１】
【補正対象書類名】明細書
【補正対象項目名】００２９
【補正方法】変更
【補正の内容】
【００２９】
かかる態様の医療情報参照プログラムでは、協調制御機能により、患者特定情報の更新を受諾している医療情報参照機能のうちのいずれか一つにおいて患者特定情報が更新されると、受諾している他の医療情報参照機能における患者特定情報も同様に更新される。
【手続補正１２】
【補正対象書類名】明細書
【補正対象項目名】００３１
【補正方法】変更
【補正の内容】
【００３１】
請求項３に記載の医療情報参照プログラムにおいて、前記予約リスト取得機能は、医療従事者の指示入力に基づいて予約リストを取得するようにしてもよい。
【手続補正１３】
【補正対象書類名】明細書
【補正対象項目名】００３２
【補正方法】変更
【補正の内容】
【００３２】
予約リストを基に患者の医療情報を参照する場合、予約リストは最新のものを用いる必要がある。上記態様の医療情報参照プログラムでは、医療従事者の指示入力に基づいて予約リストを取得することで、医療情報を参照する際に最新の予約リストを取得することができる。
【手続補正１４】
【補正対象書類名】明細書
【補正対象項目名】００３３
【補正方法】変更
【補正の内容】
【００３３】
請求項３に記載の医療情報参照プログラムにおいて、前記取得した予約リストを指定された項目の昇順または降順で並び替える予約リストソート機能をさらに備えるようにしてもよい。
【手続補正１５】
【補正対象書類名】明細書
【補正対象項目名】００３４
【補正方法】変更
【補正の内容】
【００３４】
かかる態様の医療情報参照プログラムでは、予約リストをソートできるようにしたことで、患者特定情報を特定の条件に従って選択できるようになり、医療従事者はいっそう迅速かつ容易に医療情報を参照することができる。